(57)【要約】【課題】本発明の目的は、上述の欠点を少なくとも部分的に克服し、かつ確実に操作でき、充電が容易なエネルギー貯蔵ユニットを有し、現行の無線データ送信技術を利用できる、改善したマッサージ器を提供することである。【解決手段】ハウジング（５）内に、振動発生装置、エネルギー貯蔵ユニット、制御ユニット、および無線通信装置を含むマッサージ部（３）と、一方の端部がマッサージ部（３）に接続されたケーブル（７）と、ケーブル（７）のもう一方の端部に配置され、充電器との接続を確立するように適合されたプラグ（９）であって、プラグ（９）は、平坦であり、かつ２つのＵＳＢ対応の充電電極（１１）、ならびに無線データ通信装置からの無線信号を送受信するためのＰＣＢアンテナ、またはチップアンテナとして構成されたアンテナ（２３）を有する、プリント回路基板（２１）を含む、プラグとを備える、身体部分のマッサージ器である。【選択図】図１
2016127925.tif 000002
【特許請求の範囲】
【請求項１】
ハウジング（５）内に、振動発生装置、エネルギー貯蔵ユニット、制御ユニット、および無線データ通信装置を含むマッサージ部（３）と、
一方の端部が前記マッサージ部（３）に接続されたケーブル（７）と、
前記ケーブル（７）のもう一方の端部に配置され、充電器との接続を確立するように適合されたプラグ（９）であって、前記プラグ（９）が、平坦であり、かつ
２つのＵＳＢ対応の充電電極（１１）と、
前記無線データ通信装置で無線信号を送信し、かつ無線信号を受信するための、ＰＣＢまたはチップアンテナとして構成されたアンテナ（２３）とを含む、プリント回路基板（２１）を有する、プラグと
を備える、身体の部分をマッサージするためのマッサージ器。
【請求項２】
前記充電電極（１１）が、前記プリント回路基板（２１）の一方の側に配置され、前記アンテナ（２３）が、前記プリント回路基板（２１）のもう一方の側に配置される、請求項１に記載のマッサージ器（１）。
【請求項３】
前記充電電極（１１）および前記アンテナ（２３）が、前記プリント回路基板（２１）の同一の側に配置される、請求項１に記載のマッサージ器（１）。
【請求項４】
前記アンテナ（２３）が、（ＩＥＥＥ８０２．１５．１による）Ｂｌｕｅｔｏｏｔｈ（登録商標）、ＮＦＣ（近距離通信）、（ＩＥＥＥ８０２．１１による）ＷＬＡＮ／ＷＩＦＩ、ＧＳＭ（登録商標）、ＵＭＴＳ、ＬＴＥその他のモバイルデータ送信規格による、無線信号の送受信用に構成される、請求項１に記載のマッサージ器（１）。
【請求項５】
前記ケーブル（７）および前記プラグ（９）が、液密であるように構成される、請求項１に記載のマッサージ器（１）。
【請求項６】
前記ケーブル（７）が、２本のストランドを含む、請求項１に記載のマッサージ器（１）。
【請求項７】
少なくとも１本のケーブルストランドが、同軸ケーブルとして構成される、請求項６に記載のマッサージ器（１）。
【請求項８】
前記プラグ（９）が、それぞれが前記１本のストランドの端部を受けるように構成された２つの凹部（２２、２５）を有する、請求項６〜７の一項に記載のマッサージ器（１）。
【請求項９】
前記プラグ（９）が、その表面にグリップ領域（１７）を備える、請求項１に記載のマッサージ器（１）。
【請求項１０】
前記プラグ（９）および／または前記ケーブル（７）の少なくとも一部が、生体適合性のあるプラスチックシースで覆われる、請求項１に記載のマッサージ器（１）。
【請求項１１】
前記生体適合性のあるプラスチックシースが、射出成形工程によって形成される、請求項１０に記載のマッサージ器（１）。
【請求項１２】
前記プラグ（９）の前記充電電極（１１）が、金属または金属合金の被膜を有する、請求項１に記載のマッサージ器（１）。
【発明の詳細な説明】
【技術分野】
【０００１】
本発明は、身体の部分、特に性器のマッサージ用のマッサージ器に関する。
【背景技術】
【０００２】
上述した種類のマッサージ器は、「ラブボール」という名称でも知られている。しかしながら、これは性的な玩具として用いられるだけでなく、例えば、欧州特許第０９５５０２４号明細書に記載されているような、骨盤底筋の治療的処置用の膣内挿入具としても使用される。
【０００３】
国際公開第０２／３８１００号パンフレットには、既知の種類のマッサージ器が記載されている。しかしながら、既知のマッサージ器の１つの欠点は、回収コードの自由端のブッシングまたはコネクタが液密に構成されていないことであり、これによって、ブッシングの開口部から液体が浸透する場合があり、機器が腐食して故障につながる可能性があることを意味する。さらに、選択された充電ケーブルの寸法のために、アンテナとしての充電ケーブルの構成は、一定の無線周波数、および一定のアンテナの種類に限定される。特に、このケーブルでは、スマートフォン等の遠隔操作装置とマッサージ器との間の無線データ送信のために、Ｂｌｕｅｔｏｏｔｈ（登録商標）、ＩＥＥＥ８０２．１１（ＷＬＡＮ／ＷＩＦＩ）、ＧＳＭ（登録商標）、ＵＭＴＳ等の現行の規格のモバイルデータ通信をいずれも使用することができない。
【先行技術文献】
【特許文献】
【０００４】
【特許文献１】欧州特許第０９５５０２４号明細書
【特許文献２】国際公開第０２／３８１００号パンフレット
【発明の概要】
【発明が解決しようとする課題】
【０００５】
したがって、本発明の目的は、上述の欠点を少なくとも部分的に克服し、かつ確実に操作でき、充電が容易なエネルギー貯蔵ユニットを有し、現行の無線データ送信技術を利用できる、改善したマッサージ器を提供することである。この目的は、請求項１の特徴を有する主題によって達成される。
【課題を解決するための手段】
【０００６】
本発明によれば、ハウジング内に、振動発生装置、エネルギー貯蔵ユニット、制御ユニット、および無線データ通信装置を含むマッサージ部と、一方の端部がマッサージ部に接続されたケーブルと、ケーブルのもう一方の端部に配置され、充電器との接続を確立するように適合されたプラグであって、プラグは、平坦であり、かつ２つのＵＳＢ対応の充電電極、ならびに無線データ通信装置からの無線信号を送受信するためのＰＣＢアンテナ、またはチップアンテナとして構成されたアンテナを有する、プリント回路基板（ＰＣＢ）を含む、プラグとを備える、身体の部分をマッサージするためのマッサージ器が提供される。アンテナはプラグ内に配置されるため、マッサージ部内の無線データ通信装置と、スマートフォン等の遠隔操作装置との間のデータ転送を著しく向上させることができる。この技術的解決策により、構成部品を追加することなくその目的を達成し、その結果、コンパクトで安価な機器を提供する。
【０００７】
ＵＳＢ技術の使用は、エネルギー貯蔵ユニットを充電するため、また、データを送信するために非常に広く採用されている方法が使用できることを意味する。平坦なプラグは、ＵＳＢ−Ａプラグのものと同様の構成を備え、ＵＳＢスティックを挿入できるのと同じ方法で、対応するＵＳＢポートに導入することができる。この種のコネクタポートは、ＰＣ、ラップトップ、ノートパソコン、タブレットコンピュータ、電力供給装置等の多くの異なる装置に存在し、ＵＳＢ規格によって、十分な量の充電電流（ＵＳＢ２．０で、５Ｖで最高５００ｍＡ）を供給する。
【０００８】
本発明によれば、充電電極およびアンテナは、プリント回路基板（ＰＣＢ）上に配置される。アンテナは、「プリントアンテナ」とも呼ばれる、プリント回路基板すなわちＰＣＢアンテナとして構成されて、任意の適当な形状を有することができ、特に銅で作られた金属層として、安価に従来のプリント回路基板に適用することができる。その結果、省スペースで安価な、コンパクトな構成部品を得ることができる。充電電極は回路基板の片側に配置し、アンテナは反対側に配置することが好適である。あるいは、充電電極およびアンテナは、回路基板の同じ側に配置されてもよい。この結果、プラグ部品は、さらに簡単な構造となる。プラグが、ＵＳＢポート、または適切な他の充電ポートに、任意の方向で（２方向のどちらでも）挿入できるという点で使いやすくなるように、充電電極を回路基板の両側に配置することも可能である。この目的のためには、陽極と陰極とを認識する論理回路が必要とされる。
【０００９】
また、アンテナは、（ＩＥＥＥ８０２．１５．１による）Ｂｌｕｅｔｏｏｔｈ（登録商標）無線信号、ＮＦＣ（Ｎｅａｒ Ｆｉｅｌｄ Ｃｏｍｍｕｎｉｃａｔｉｏｎ）信号、（ＩＥＥＥ８０２．１１による）ＷＬＡＮ／ＷＩＦＩ信号、ＧＳＭ（登録商標）信号、ＵＭＴＳ信号、ＬＴＥ信号、または別のモバイルデータ送信規格による信号の送受信用に構成されることが好適である。
【００１０】
ケーブルおよびプラグは、液密であるように製造されることが好適である。したがって、身体の開口部に挿入されるマッサージ部だけでなく、回収コード、すなわちケーブルおよびプラグもまた、ＩＰ６７（ＤＩＮ ＥＮ ６０５２８）等の、この種の機器に適用可能な衛生基準に適合する。ケーブルおよびプラグは、したがって、簡単な手段によって洗浄することができ、平坦な構造のために、液体が浸入してマッサージ器の機能を損なう可能性のある開口部が存在しない。
【００１１】
ケーブルは、２本のストランドを備えることが好ましい。特に、少なくとも１本のケーブルストランドが、同軸ケーブルとして構成されることが好適である。これにより、高周波アンテナ信号が干渉信号にさらされる可能性を最小限にすることが保証され、かつ十分にシールディングして、マッサージ部のハウジングの内部の無線データ通信装置に送信することができる。ＵＳＢ充電電圧源（ＤＣ電圧）に関連する電流の影響は、したがって最小化される。
【００１２】
また、プラグが、それぞれがストランドの一端を受ける、２つの凹部を備えることも好適である。その結果、プラグの全体構造は、平坦に保たれる。ストランドの端部は、はんだ付けまたはその他の適切な接続手段によって、充電電極およびアンテナの端子に容易に接続することができる。
【００１３】
プラグは、その表面にグリップ領域を備えていることが好ましい。グリップ領域は、プラグの端部近くに形成され、そこでケーブルまたはストランドの端部がプラグに接続される。これにより、充電ポートにプラグを挿入し、再び容易に除去することが可能になる。グリップ領域は、プラグの表面の溝によって、または凸面によって形成することができる。プラグまたはアンテナの機能に影響しない、他の有用な実施形態もまた可能である。
【００１４】
プラグおよび／またはケーブルの少なくとも一部を覆う、生体適合性のあるプラスチックシースが特に好ましい。その結果、例えば、プリント回路基板、アンテナ、およびケーブルストランドの接続点等の構成部品は、腐食から保護される。生体適合性のあるプラスチックシースは、射出成形工程によって形成されることが特に好ましい。その結果、一体的なプラグが得られ、損傷や取り扱いの誤りに対する脆弱性を最小限にした表面を提供する。プラスチックシースの材料は、アクリロニトリルブタジエンスチレン共重合体（ＡＢＳ）、または同様の特性を有する同等のプラスチック等の熱可塑性材料が好ましい。このような熱可塑性材料は、標準的な市販の潤滑剤や洗浄剤に対して無反応であり、かつ臭いや味に対しても中性である。
【００１５】
マッサージ器の材料は、耐ＵＶで、臭いに対して中性かつ味に対して中性であることが好ましく、別の色もまた可能である。
【００１６】
プラグの充電接点は、例えば金または金めっきで形成されるか、またはその他の金属または金属合金で表面増強して形成された、金属または金属合金で好適に被覆される。
【００１７】
本発明は、図面に示された実施形態を参照しながら、以下で詳細に説明される。
【図面の簡単な説明】
【００１８】
【図１】本発明による、マッサージ器の第１の好ましい実施形態の斜視図を示す。
【図２】第１の好ましい実施形態の別の斜視図を示す。
【図３】本発明による、マッサージ器の第２の好ましい実施形態の斜視図を示す。
【図４】第２の好ましい実施形態の別の斜視図を示す。
【図５】本発明による、マッサージ器の好ましい実施形態の、取り付けられたケーブルを有するプラグ部品の斜視図を示す。
【図６】本発明による、マッサージ器の好ましい実施形態の、プラグ部品のプリント回路基板の上面の平面図を示す。
【図７】本発明による、マッサージ器の好ましい実施形態の、プラグ部品のプリント回路基板の下面の平面図を示す。
【発明を実施するための形態】
【００１９】
図１は、本発明による、マッサージ器の第１の好ましい実施形態の斜視図を示す。マッサージ器１は、本質的に球状のマッサージ部３を備え、これは、ハウジング５内に、以下の構成部品（図示せず）、すなわち振動発生装置、エネルギー貯蔵ユニット、制御ユニット、および無線データ通信装置を含む。これらの構成部品は、当業者にはよく知られているように、ハウジング５の内部で、機能的かつ／または電気的に適切に互いに接続され、その原理もまた当業者にはよく知られている。動作時に、例えば、シャフトに偏心して取り付けられた錘を有する電気モータ等の、エネルギー貯蔵ユニットによって電力を供給された振動発生装置は、マッサージ部３を揺動させ振動させる。ハウジング５内の制御ユニットは、無線データ通信装置を経由してその制御コマンドを受信するが、これもエネルギー貯蔵ユニットによって電力を供給され、スマートフォン、ＰＣ、または同様のモバイル操作プラットフォーム等の遠隔操作装置から、制御の目的にかなった無線信号を供給される。制御ユニットは、プログラムを記憶するためのデータ記憶装置を有することができ、その結果、マッサージ器に、内部または外部から指定された振動シーケンスをプログラムすることが可能である。遠隔操作装置を介した、直接制御もまた可能である。
【００２０】
マッサージ部３の内部の構成部品に電流またはアンテナ信号を供給するため、および外部に信号を送信するために、マッサージ部３は、ケーブル７によってプラグ９に接続される。本明細書に示す実施形態では、ケーブルは２本のストランドすなわち線を有する。プラグ９は、平坦なＰＣＢコネクタとして構成され、その上面に、長手方向に互いに平行に配置され、ＵＳＢ−Ａ接続に対応するように構成された、２つの充電電極１１を備える。露出している充電電極１１を除き、プラグ９は、射出成形されたシース１５で覆われており、これは、アクリロニトリルブタジエンスチレン（ＡＢＳ）等の熱可塑性材料で作られる。ケーブル７に面した側で、シース１５は、その上面１３にグリップ領域１７を備える。本明細書に示す実施形態では、グリップ領域は凸面として構成される。グリップ領域１７は、対応するＵＳＢポートに挿入されたり除去されたりするときに、プラグ９の取り扱いを簡単にするのに役立つ。プラグ９の上面１３のほぼ中央に、細長い凹部１６が見られるが、これが存在するのは、本実施形態ではプラグ９が射出成形によって製造され、製造中にこの構成部品が工具によって適切に保持される必要があるためである。細長い凹部１６は、マッサージ器の振動機能、充電、または制御に対する重要性はなく、製造工程においてのみ役割を果たす。
【００２１】
図２は、本発明によるマッサージ器の第１の好ましい実施形態の斜視図を示し、マッサージ部３のハウジング５の出口を通ってケーブル７が出ており、プラグ９の下面を見ることができる。ケーブル７の２本のストランドは、回収コードとして使用可能なように、十分な寸法が与えられることをここで指摘しておく必要がある。つまり、場合によってはプラグ９を利用してケーブルを引っ張り、身体の開口部からマッサージ部３を取り出すことが可能である。プラグ９の下面１４に、２つの平行な細長い凹部１６が配置されているが、これは単に、上面１３にあるものと同様に、プラグ９の内部部品が被覆される射出成形の工程中に使用される保持位置を表す。ケーブルの隣の領域で、プラグ９の下面１４に、もう１つのグリップ領域１７が形成される。本明細書に示す実施形態では、このグリップ領域は、その厚さがプラグ９の先端に向かって増加する、隆起すなわち出っ張りとして形成される。
【００２２】
図３は、本発明による、マッサージ器の第２の好ましい実施形態の斜視図を示す。第２の実施形態は、第１の実施形態と同様であるため、２つの実施形態の相違のみが以下で説明される。第２の実施形態のマッサージ部３は、ケーブル７が接続される位置とは反対側に、接続部品６によってハウジング５に結合される第２のマッサージ部品４を備え、この第２の部品は、本質的に球状である。第２のマッサージ部品４、ならびにハウジング５の外形寸法および形状は、本質的に同一である。しかしながら、第２のマッサージ部品４の内部には空洞が設けられ、第２のマッサージ部品４が動かされたときに、機械的なパルスを生成するのに十分な錘を有する、自在に移動可能なボールが配置される。第２のマッサージ部品４の構造は、ボールの動きによってボールの内部に機械的パルスを生成する、従来の機械的なラブボールと本質的に同一であり、したがって、パルスはボールの表面で知覚可能である。ハウジング５は、接続部品６によって第２のマッサージ部品４にしっかりと接続される。この接続は、第２のマッサージ部品４を除去できるように、取り外し可能に構成することができる。図３に示す他の全ての部品は、図１のものと同一である。図４の部品についても同じことが当てはまり、第２のマッサージ部品４以外は、図２と同様である。
【００２３】
図５は、図１の部品の詳細を示し、プラグ９、およびケーブルすなわちケーブル７のみが示されている。したがって、上述した図１の説明を参照されたい。
【００２４】
図６および図７はそれぞれ、プラグ９のコアを形成する２つの充電電極１１、およびアンテナ２３を有する、プリント回路基板（ＰＣＢ）２１の上面および下面の平面図を示す。充電電極１１およびアンテナ２３の材料が適用された後、およびケーブルストランドが接続された後に、ＰＣＢ２１が、射出成形工程によってプラスチックシースで覆われることに注意するべきである。この工程の後に初めて、プラグ９が完成する。
【００２５】
図６は、ＰＣＢの上面を示し、２つの充電電極１１は、長手方向に互いに平行に適用される。この寸法、すなわち、特に２つの充電電極１１同士の間の距離およびそれらの長さは、充電のためにプラグ９を適切なＵＳＢポートに挿入できるように計算される。充電電極１１は、第１および第２の凹部２２、２５で、２本のケーブルストランドの接続端部と接触する。好ましい実施形態において、ケーブル７は、２本のストランドで構成され、第１のストランドは、撚り線を有する１本のケーブルであり、その端部は、充電電極の正極（図６の上方の充電電極１１）に接続される。ケーブル７の第２のストランドは、同軸ケーブルとして構成され、外側の導体は、第２の凹部２５内で充電電極１１に接続され、この電極は、接地極として規定される。接地電極の部分の左側の白点２７は、図７を参照して再度説明されるように、回路基板の下面に通じる垂直な相互接続アクセスの特徴を示す。
【００２６】
図７は、プリント回路基板２１の下面を示し、既知の技術によって、アンテナ２３が導電層として適用されている。この種のＰＣＢアンテナまたはチップアンテナは、コンパクトな形態を特徴とする。本発明において、プラグ９のＰＣＢアンテナは、マッサージ部３の無線データ通信装置の構成部品およびプリント回路から離れていることが好適である。このようにすることで、ＰＣＢアンテナの高周波特性によって引き起こされる二次励磁および干渉が著しく削減できるためである。
【００２７】
プリントアンテナパスまたはストリップ、あるいはチップの形状は、良好なブロードキャスト特性、高効率な受送信、および適切な帯域幅に最適化される。アンテナ２３は、第２の凹部２５内で、ケーブル７の１本のストランド、すなわち同軸ストランドに接続される。「コア」とも呼ばれる同軸ケーブルの内部の導体は、第２の凹部２５の端部で、アンテナ２３の接触領域２４に、例えばはんだ付けで電気的に接続される。同軸ケーブルの外部の導体は、第２の凹部２５の長辺側で、アンテナ２３の接触領域２６に、例えばはんだ付けで電気的に接続される。接着によって、あるいは別の適切な接触技術によって接続が確立されるようにすることも可能である。図７に見られるように、回路基板２１の第１の凹部２２には、ケーブル７の撚り線から、下面にプリントされた経路または配線への接続は設けられない。
【００２８】
受信された２．４ＧＨｚ帯のＢｌｕｅｔｏｏｔｈ（登録商標）信号は、同軸ケーブルによって無線データ通信装置に送信することができ、あるいは送信されるＢｌｕｅｔｏｏｔｈ（登録商標）信号を、同軸ケーブルを通じて供給することができる。同軸ケーブルの波動インピーダンスは、最適な送受信特性が確保されるように計算される。
【００２９】
プリント回路基板アンテナの代わりに、線状アンテナ、ループアンテナ、またはスロットアンテナ等の他の種類のアンテナを使用することも可能である。
本発明の主題により、充電が容易なエネルギー貯蔵ユニットで確実な動作をもたらし、現在使用可能な無線データ送信技術を利用するマッサージ器が提供される。
【符号の説明】
【００３０】
１  マッサージ器
３  マッサージ部
４  第２のマッサージ部品
５  ハウジング
６  接続部品
７  ケーブル
９  プラグ
１１  充電電極
１３  上面
１４  下面
１５  シース
１６  凹部
１７  グリップ領域
２１  プリント回路基板（ＰＣＢ）
２２  第１の凹部
２３  アンテナ
２４  接触領域
２５  第２の凹部
２６  接触領域
２７  白点
【図１】
2016127925.tif 000003
【図２】
2016127925.tif 000004
【図３】
2016127925.tif 000005
【図４】
2016127925.tif 000006
【図５】
2016127925.tif 000007
【図６】
2016127925.tif 000008
【図７】
2016127925.tif 000009
【外国語明細書】
2016127925.tif 000010
2016127925.tif 000011
2016127925.tif 000012
2016127925.tif 000013
2016127925.tif 000014
2016127925.tif 000015
2016127925.tif 000016
2016127925.tif 000017
2016127925.tif 000018
2016127925.tif 000019
2016127925.tif 000020
2016127925.tif 000021
2016127925.tif 000022
2016127925.tif 000023
2016127925.tif 000024
2016127925.tif 000025
2016127925.tif 000026
2016127925.tif 000027
2016127925.tif 000028
2016127925.tif 000029